(57)【要約】【課題】周囲が柵で囲まれた幼児用の遊戯具や、幼児の出入りを防ぐための通路に設けるドア装置において、簡単な構造で確実にしかもガタツキなくドア板を閉止状態で施錠することができ、しかも幼児が操作することが困難である一方、保護者が容易に開閉操作できるようになしたドア装置を提供する。【解決手段】第１固定部１の縁部にドア板３の一側縁部をヒンジ部４にて水平回動可能に連結し、第２固定部２の縁部で表裏一側に戸当り板５を第２固定部の端縁から開口部へ突出するように着脱可能に取付け、ドア板の遊端側の上端部に上下回動可能に施錠具６を設け、施錠具を水平な施錠状態にしたときに施錠具の係合溝部７に第２固定部の上端部を受け入れるとともに、戸当り板の上端部と施錠具との凹凸嵌合によってドア板を回動不能とした。【選択図】        図３
2007308872.tif 000002
【特許請求の範囲】
【請求項１】
少なくとも縁部が板状となっている第１固定部と第２固定部との間の開口部に、水平回動可能にドア板を開閉可能に設けてなるドア装置であって、第１固定部の縁部に前記ドア板の一側縁部をヒンジ部にて水平回動可能に連結するとともに、第２固定部の縁部で表裏一側に戸当り板を該第２固定部の端縁から開口部へ突出するように着脱可能に取付け、前記ドア板の遊端側の上端部に上下回動可能に施錠具を設け、該施錠具を水平な施錠状態にしたときに該施錠具の係合溝部に前記第２固定部の上端部を受け入れるとともに、前記戸当り板の上端部と該施錠具との凹凸嵌合によってドア板を回動不能としたことを特徴とするドア装置。
【請求項２】
前記施錠具は、前記ドア板の表裏両面に位置する一対の施錠板を有し、両施錠板の一端部で前記ドア板の遊端側の上端部を挟み込んだ状態で回動軸にて上下回動可能に取付けるとともに、両施錠板の他端部の間を前記係合溝部となし、更に両施錠板の下端部に凹部を形成し、施錠状態において一方の凹部を前記戸当り板の上端の凸部に嵌合してなる請求項１記載のドア装置。
【請求項３】
前記施錠具の回動中心と、前記施錠具と前記戸当り板との凹凸嵌合部分の中心部との高さを略一致させてなる請求項１又は２記載のドア装置。
【請求項４】
前記施錠具には、前記施錠板の外側で前記凹部を覆うようにカバー部材を設けてなる請求項２又は３記載のドア装置。
【請求項５】
前記施錠具の両施錠板の間に、施錠状態において第２固定部の上端縁部に当止する第１ストッパー部材と、該施錠具を９０°上方に回動させて開錠状態となしたときに前記ドア板の上端に当止する第２ストッパー部材を設けて、両施錠板を互に連結してなる請求項１〜４何れかに記載のドア装置。
【発明の詳細な説明】
【技術分野】
【０００１】
本発明は、ドア装置に係わり、更に詳しくは幼児用の遊戯具等におけるドア装置に関するものである。
【背景技術】
【０００２】
従来から、周囲が柵で囲まれた幼児用の遊戯具や、幼児の出入りを防ぐための通路に設けるドア装置は各種提供されている。この種のドア装置では、幼児が容易に操作できないような施錠具を有しており、また不特定の保護者が開閉操作できるような構造であることが要求される。
【０００３】
例えば、特許文献１には、幼児の手の届かない所に簡単な構造の鍵を付けることを目的になされたものであり、門柱の上端部に設けた凹所に、平面視Ｔ字形の鍵の側面部に形成した長手方向のスリット孔に挿通したピンを固定して、該鍵を上下回動可能となし、該鍵を水平となした状態で頭部を門扉の遊端側上端に係合させるとともに、開錠状態では鍵を９０°上方へ回動させた後、門柱の上端部に形成した収容凹部内に落し込み格納する構造のものが開示されている。
【０００４】
また、特許文献２には、ドア本体が開閉可能に取付けられた逆門型状の支持枠と、この支持枠を通路などの対向壁の間に取付ける取付機構と、前記ドア本体をその閉止時にロックとするロック機構とを備え、該ロック機構を、前記ドア本体に係止する係止爪及び前記支持枠の支柱に嵌合する開口を有し、前記ドア本体に回動可能に取付けられたロックハンドルと、該ロックハンドルと連動しロック時に前記支持枠の下枠に係止するロック棒とによって構成した幼児用ゲートが開示されている。ここで、ロック機構は、ドア本体の係止部に係止する係止爪を有し、外部からの操作により係止を解除できる操作レバーが内蔵され、下部に支持枠の支柱の上端部に嵌合する開口部を備え、一端が前記ドア本体に回動可能に取付けられたロックハンドル、及び一端が該ロックハンドルに連結され、前記ドア本体内を通って該ドア本体の下端部から突出し、ロック時にその先端部が前記支持枠の下枠に設けたロック穴に挿入されるロック棒からなっている。
【０００５】
しかし、特許文献１記載のものは鍵が露出し、不意に外れる恐れがあるばかりでなく、門扉の面外方向（開閉方向）の変位に対してガタツキが多く、また門扉の面内方向の変位に対しても門柱に対して門扉が接近する方向に対しては全く規制されてないので、やはりガタツキが多い。一方、特許文献２記載のものは、ドア本体の遊端側上端に上下回動可能に設けたロックハンドルを支持枠の支柱の上端に係合すると同時に、ロックハンドルに連動したロック棒が下方へ突出して支持枠のロック穴に係入する構造であり、確実なロックを行える半面、構造が複雑であり、高価なものとなる。
【特許文献１】実開平６−１６６９８号公報
【特許文献２】特開２０００−２４５５８３号公報
【発明の開示】
【発明が解決しようとする課題】
【０００６】
そこで、本発明が前述の状況に鑑み、解決しようとするところは、周囲が柵で囲まれた幼児用の遊戯具や、幼児の出入りを防ぐための通路に設けるドア装置において、簡単な構造で確実にしかもガタツキなくドア板を閉止状態で施錠することができ、しかも幼児が操作することが困難である一方、保護者が容易に開閉操作できるようになしたドア装置を提供する点にある。
【課題を解決するための手段】
【０００７】
本発明は、前述の課題解決のために、少なくとも縁部が板状となっている第１固定部と第２固定部との間の開口部に、水平回動可能にドア板を開閉可能に設けてなるドア装置であって、第１固定部の縁部に前記ドア板の一側縁部をヒンジ部にて水平回動可能に連結するとともに、第２固定部の縁部で表裏一側に戸当り板を該第２固定部の端縁から開口部へ突出するように着脱可能に取付け、前記ドア板の遊端側の上端部に上下回動可能に施錠具を設け、該施錠具を水平な施錠状態にしたときに該施錠具の係合溝部に前記第２固定部の上端部を受け入れるとともに、前記戸当り板の上端部と該施錠具との凹凸嵌合によってドア板を回動不能としたドア装置を構成した（請求項１）。
【０００８】
ここで、前記施錠具は、前記ドア板の表裏両面に位置する一対の施錠板を有し、両施錠板の一端部で前記ドア板の遊端側の上端部を挟み込んだ状態で回動軸にて上下回動可能に取付けるとともに、両施錠板の他端部の間を前記係合溝部となし、更に両施錠板の下端部に凹部を形成し、施錠状態において一方の凹部を前記戸当り板の上端の凸部に嵌合してなることが好ましい（請求項２）。
【０００９】
また、前記施錠具の回動中心と、前記施錠具と前記戸当り板との凹凸嵌合部分の中心部との高さを略一致させてなることがより好ましい（請求項３）。
【００１０】
更に、前記施錠具には、前記施錠板の外側で前記凹部を覆うようにカバー部材を設けてなることも好ましい（請求項４）。
【００１１】
そして、前記施錠具の両施錠板の間に、施錠状態において第２固定部の上端縁部に当止する第１ストッパー部材と、該施錠具を９０°上方に回動させて開錠状態となしたときに前記ドア板の上端に当止する第２ストッパー部材を設けて、両施錠板を互に連結してなることがより好ましい（請求項５）。
【発明の効果】
【００１２】
以上にしてなる請求項１に係る発明のドア装置は、第１固定部の縁部に一側縁部をヒンジ部にて水平回動可能に連結したドア板の遊端側を、第２固定部の縁部で表裏一側に取付けた戸当り板に当止し、両固定部間の開口部をドア板で閉止した状態で、前記ドア板の遊端側の上端部に上下回動可能に設けた施錠具を、水平な施錠状態にしてその係合溝部内に第２固定部の上端部を受け入れるとともに、前記戸当り板の上端部と該施錠具との凹凸嵌合することによって、ドア板を回動不能に施錠することができる。ここで、施錠具は、ドア板の上端部に設けられ、しかも上方へ回動させて開錠する構造であるから、背の低い幼児が操作することは事実上不可能であるが、背の高い保護者は容易に開閉操作することができるのでる。
【００１３】
請求項２によれば、施錠状態において、施錠具の両施錠板の間の係合溝部内に第２固定部の上端部を受け入れているので、ドア板の開閉方向に対する変位をガタツキなく規制し、また戸当り板の上端部の凸部と、施錠具の施錠板の凹部とが凹凸嵌合するので、ドア板の面内方向の変位もガタツキなく規制することができるのである。
【００１４】
請求項３によれば、施錠状態において、各部材の面内方向の横方向に力が加わっても、施錠具に上方への回動力が働かないので、施錠板の凹部と戸当り板の凸部との凹凸嵌合状態が解除されることがなく、施錠状態が安定である。
【００１５】
請求項４によれば、カバー部材を持って施錠具を開閉操作することができ、また施錠状態においては戸当り板の凸部と施錠板の凹部との凹凸嵌合部分を隠すことができるので、外観性の向上が図れるのである。
【００１６】
請求項５によれば、施錠状態において、戸当り板の上端部と施錠具とが凹凸嵌合すると同時に、両施錠板の間に設けた第１ストッパー部材が第２固定部の上端縁部に当止するので、戸当り板の上端部と施錠具との凹凸嵌合よりも先に、第１ストッパー部材が第２固定部の上端縁部に当止するようにしておけば、戸当り板の取付精度が多少悪くても、施錠具の状態が安定であり、また施錠具を９０°上方に回動させた開錠状態となしたときに両施錠板間に設けた第２ストッパー部材がドア板の上端に当止するので、施錠具の状態が安定である。また、施錠状態において、前記第２ストッパー部材の厚みを前記ドア板と第２固定部との間の隙間に嵌挿する大きさに設定することにより、該隙間を塞ぐことができる。
【発明を実施するための最良の形態】
【００１７】
次に、添付図面に示した実施形態に基づき、本発明を更に詳細に説明する。図１は本発明のドア装置を採用した幼児用の遊戯具における保護柵を示し、図２〜図８はドア装置の詳細を示し、図中符号Ａは保護柵、１は第１固定部、２は第２固定部、３はドア板、４はヒンジ部、５は戸当り板、６は施錠具をそれぞれ示している。
【００１８】
本実施形態における前記保護柵Ａは、板状、柵状、直線状、円弧状といった各種の固定柵Ａ１，…（第１固定部１と第２固定部２に相当する）を複数連結して周囲を取り囲むとともに、所定位置に開口部を設け、該開口部に開閉可能に開閉柵Ａ２（ドア板３に相当する）を設けたものである。本発明は、ドア板３とその両側の第１固定部１と第２固定部２のみに関連するので、以降は特に断りなく第１固定部１、第２固定部２及びドア板３の周辺部分のみ説明して、保護柵Ａの実施形態の説明に代える。
【００１９】
しかし、本発明は幼児用の遊戯具における保護柵Ａに適用する以外にも、幼児が自由に出入りすると支障がある開口部や通路、例えばリビングとキッチンの境界部等にも適用できるものである。その場合、前記第１固定部１と第２固定部２は、全体が板状である必要はなく、少なくともドア板３に隣接する端部のみが板状であればよいのである。
【００２０】
本発明に係るドア装置は、少なくとも縁部が板状となっている第１固定部１と第２固定部２との間の開口部に、水平回動可能にドア板３を開閉可能に設けてなるドア装置であって、第１固定部１の縁部に前記ドア板３の一側縁部をヒンジ部４にて水平回動可能に連結するとともに、第２固定部２の縁部で表裏一側に戸当り板５を該第２固定部２の端縁から開口部へ突出するように着脱可能に取付け、前記ドア板３の遊端側の上端部に上下回動可能に施錠具６を設け、該施錠具６を水平な施錠状態にしたときに該施錠具６の係合溝部７に前記第２固定部２の上端部を受け入れるとともに、前記戸当り板５の上端部と該施錠具６との凹凸嵌合によってドア板３を回動不能としたものである。
【００２１】
更に詳しくは、本実施形態では、前記第１固定部１、第２固定部２及びドア板３は同一厚さの木製の板で作成している。前記ドア板３は、第１固定部１の縁部にヒンジ部４にて水平回動可能に連結し、該ドア板３の遊端側の下端には床面を転動するキャスター８を設けている。本実施形態では、前記ヒンジ部４はキャンバス地で作成したものであるが、その詳細は後述する。
【００２２】
図２に示すように、前記第１固定部１及び第２固定部２には、縦横の格子位置に予め通孔９，…を形成してあり、他の部材を連結するために汎用性を持たせている。また、前記戸当り板５は、図３及び図３に示すように、上下方向に延びた木製の板であり、上端部の幅方向中央部に凸部１０を形成するとともに、一側に前記通孔９，…と対応させて取付孔を形成し、該取付孔と前記第２固定部２の縁部側の通孔９，９に挿通した雄ネジ１１Ａと雌ネジ１１Ｂの一対からなる締結具１１にて連結している。ここで、前記第２固定部２の縁部に前記戸当り板５を取付けた状態で、該戸当り板５の他側は開口部へ突出するように設定されている。尚、本実施形態では、前記戸当り板５は、下端部にも凸部１０を形成して上下対称形とし、上下どちらの向きに取付けても同じ状態となるようにしている。
【００２３】
また、前記施錠具６は、図２〜図４に示すように、前記ドア板３の表裏両面に位置する一対の施錠板１２，１２を有し、両施錠板１２，１２の一端部で前記ドア板３の遊端側の上端部を挟み込んだ状態で回動軸１３にて上下回動可能に取付けるとともに、両施錠板１２，１２の他端部の間を前記係合溝部７となし、更に両施錠板１２，１２の下端部に、前記戸当り板５の上端の凸部１０に嵌合する凹部１４を形成している。ここで、前記施錠具６の回動中心と、前記施錠具６と前記戸当り５との凹凸嵌合部分、即ち施錠板１２の凹部１４と戸当り板５の凸部１０の嵌合部分の中心部との高さを略一致させている。
【００２４】
更に、前記施錠具６には、前記施錠板１２，１２の外側で前記凹部１４，１４をそれぞれ覆うように円形のカバー部材１５，１５を設けている。このカバー部材１５は、施錠具６の上下回動操作における把手として利用するためと、前記凹部１４を隠蔽するためのものであるので、両者の兼ね合いによって最適な大きさに設定している。
【００２５】
そして、前記施錠具６の両施錠板１２，１２の間に、施錠状態において第２固定部２の上端縁部に当止する第１ストッパー部材１６と、該施錠具６を９０°上方に回動させて開錠状態となしたときに前記ドア板３の上端に当止する第２ストッパー部材１７を設けて、両施錠板１２，１２を互に連結している。ここで、前記第１ストッパー部材１６と第２ストッパー部材１７とでＬ字形の連結部が形成され、この連結部で前記両施錠板１２，１２を強固に連結するとともに、前記回動軸１３でも両施錠板１２，１２を連結している。前記回動軸１３は、図４に示すように、それに貫通した前記同様な締結具１８で両施錠板１２，１２間に固定し、該回動軸１３を前記ドア板３に形成した円孔１９に遊挿して上下回動可能となしている。
【００２６】
そして、図２及び図３に示すように、前記回動軸１３を中心とした施錠具６の上下回動時に前記第２ストッパー部材１７の描く軌跡に対応させて前記ドア板３の遊端側上端の角部を円弧状に加工している。符号２０は前記ドア板３の角部に形成した円弧部を示している。前記第２ストッパー部材１７は、施錠具６が開錠状態において前記ドア板３の上端に当止し、また施錠状態において該ドア板３の遊端と前記第２固定部２の端縁との間の隙間にはまり込むが、その両状態間において前記円弧部２０に沿って移動するので、該第２ストッパー部材１７の側面に不織布のような緩衝シート２１を貼設して、該緩衝シート２１が前記円弧部２０に摺動するようにすれば、当該施錠具６の自由回動を規制して不意に回動しないようにできる。また、前記緩衝シート２１は、開錠状態においてはドア板３の上端に接触し、施錠状態においてはドア板３の遊端に接触するのである。
【００２７】
また、前記第１ストッパー部材１６は、施錠具６が施錠状態において、前記第２固定部２の上端縁部に当止するとともに、前記第２ストッパー部材１７とともに、ドア板３の遊端と第２固定部２の端縁との間に隙間を上方から見えないようにして、もって指が隙間に入らないようにしている。
【００２８】
前記ドア板３で開口部を閉止するには、先ず施錠具６を９０°上方へ回動させた状態で、前記ドア板３の遊端が前記戸当り板５に当接するまで回動させて、それから施錠具６を水平になるまで回動させると、第１ストッパー部材１６が第２固定部２の上端に当止し、両施錠板１２，１２の間の係合溝部７内に第２固定部２の上端部を受け入れるとともに、一方の施錠板１２の凹部１４が戸当り板５の凸部１０に上方から嵌合して施錠状態となる。この状態で、両施錠板１２，１２の間に第２固定部２の上端縁部が位置するので、該ドア板３の面外方向の変位を確実に規制し、また前記施錠板１２の凹部１４と戸当り板５の凸部１０が嵌合しているので、ドア板３の面内方向の変位も確実に規制することができるのである。また、前記ドア板３を開放するには、単に施錠具６を９０°上方へ回動させ、第２ストッパー部材１７をドア板３の上端に当止してその状態を維持したまま、前記ヒンジ部４を中心に回動させればよいのである。
【００２９】
次に、図２、図５及び図６に基づいて前記ヒンジ部４を説明する。前記ヒンジ部４は、キャンパス地で縫製した独立した複数のシート体２２と、前記第１固定部１及びドア板３の一端部に取付けるための押え金具２３及び締結具１１から構成されている。前記シート体２２の両端部を互に反対面側へ折り返して上下縁を縫って中心側へ開口した袋部２４，２４を形成し、該袋部２４内の基布側に前記締結具１１を貫通する孔２５，…を形成したものである。また、前記押え金具２３は、前記袋部２４内に収まる大きさの偏平な板状部材であり、前記孔２５，…と対応した位置に孔２６，…を形成したものである。また、前記第１固定部１及びドア板３の端部には、前記孔２５，…及び孔２６，…と同一間隔の取付孔２７，…を上下方向に複数形成している。本実施形態では、それぞれ３個の孔２５，…を有する３枚のシート体２２，…を用いてヒンジ部４を構成するので、前記取付孔２７，…は９個形成している。
【００３０】
そして、前記シート体２２の一端部の袋部２４を前記第１固定部１の表側面に位置させ、他端部の袋部２４をドア板３の裏側面に位置させ、前記袋部２４の内部に前記押え金具２３を収容し、該押え金具２３の孔２６と基布の孔２５を通して取付孔２７から反対側に挿通させた雄ネジ１１Ａに、反対側から雌ネジ１１Ｂを螺合して締結する。この取付状態で一方の袋部２４内に位置する押え金具２３及び雄ネジ１１Ａの頭部は隠蔽される。尚、前記雄ネジ１１Ａと雌ネジ１１Ｂの関係は逆にしても良い。そして、上下方法に配置するシート体２２，…は表裏の関係を逆にして同様に取付ける。このように、フレキシブルなシート体２２，…で連結して構成したヒンジ部４は、ドア板３を手前側にも奥側にも水平回動可能となる。このように、キャンバス地でヒンジ部４を構成したので、ドア板３の回動時に摺動音やきしみ音が発生せず、また指詰めの心配もないのである。
【００３１】
本実施形態では、前記シート体２２の袋部２４が外側になるように配置し、基布に孔２５を形成したが、袋部２４が内側になるように配置し、袋部２４の折り返し片に孔２５を形成することも可能である。何れの場合でも、多数の締結具１１，…を用いて取付けてもその頭部の半分を隠蔽できるので、外観性においてスッキリとしたものになる。
【００３２】
最後に、前記ドア板３は、表裏反転して使用できる対称形状であり、また前記戸当り板５も第２固定部２の表裏両面のどちらにも取付けることが可能であるので、本実施形態におけるドア装置は、左開き、右開き、更には手前開き、奥開きの４通りの態様を実現することができる。図７は、左開きで手前開きの例を示し、図８は左開きで奥開きの例を示している。
【図面の簡単な説明】
【００３３】
【図１】本発明のドア装置を適用した幼児用の遊戯具における保護柵の平面図である。
【図２】本発明のドア装置の正面図である。
【図３】同じくドア装置の要部を示し、（ａ）は施錠状態の部分斜視図、（ｂ）は開錠状態の部分斜視図である。
【図４】施錠具の取付状態を示す拡大縦断面図である。
【図５】ヒンジ部の拡大部分斜視図である。
【図６】同じくヒンジ部の拡大横断面図である。
【図７】ドア装置の配置が左開きで手前開きの場合を示し、（ａ）は施錠状態の簡略平面図、（ｂ）は開錠状態の簡略平面図である。
【図８】ドア装置の配置が左開きで奥開きの場合を示し、（ａ）は施錠状態の簡略平面図、（ｂ）は開錠状態の簡略平面図である。
【符号の説明】
【００３４】
Ａ  保護柵
Ａ１  固定柵
Ａ２  開閉柵（ドア板）
１  第１固定部
２  第２固定部
３  ドア板
４  ヒンジ部
５  戸当り板
６  施錠具
７  係合溝部
８  キャスター
９  通孔
１０  凸部
１１  締結具
１１Ａ  雄ネジ
１１Ｂ  雌ネジ
１２  施錠板
１３  回動軸
１４  凹部
１５  カバー部材
１６  ストッパー部材
１７  ストッパー部材
１８  締結具
１９  円孔
２０  円弧部
２１  緩衝シート
２２  シート体
２３  押え金具
２４  袋部
２５  孔
２６  孔
２７  取付孔
【図１】
2007308872.tif 000003
【図２】
2007308872.tif 000004
【図３】
2007308872.tif 000005
【図４】
2007308872.tif 000006
【図５】
2007308872.tif 000007
【図６】
2007308872.tif 000008
【図７】
2007308872.tif 000009
【図８】
2007308872.tif 000010